(57)【要約】  対象物の光学的質感を良好に再現するための印刷を高速且つ適切に行うことが可能な印刷方法及び印刷システムを提供する。また、印刷物中に形成された白色層（７）での光の異常伝播が抑えられた印刷物（１）を提供する。  本発明では、対象物の表面の質感に関するデータに基づいて、基材（２）に多層構造の印刷層（５）を形成する印刷層形成処理を実施し、印刷層形成処理では、透明な透明層（８）と、白色流体により構成され、且つ印刷層（５）においてデータに応じた位置に配置される白色層（７）と、黒色流体により構成され、且つ印刷層（５）において白色層（７）が存在する領域で白色層（７）と基材（２）との間に配置される黒色層（９）と、を有する印刷層（５）を形成する。
2020189021.tif 000002
【特許請求の範囲】
【請求項１】
対象物の表面の質感を再現する印刷方法であって、  前記質感に関するデータに基づいて、基材に多層構造の印刷層を形成する印刷層形成処理を実施し、  前記印刷層形成処理では、  透明な透明層と、  白色流体により構成され、且つ前記印刷層において前記データに応じた位置に配置される白色層と、  黒色流体により構成され、且つ前記印刷層において前記白色層が存在する領域で前記白色層と前記基材との間に配置される黒色層と、  を有する前記印刷層を形成することを特徴とする印刷方法。
【請求項２】
前記印刷層形成処理では、厚みが均一である白色媒体と前記白色媒体に重ねられた内部散乱部材とを有する前記基材を用意し、前記内部散乱部材の表面上に前記印刷層を形成する請求項１に記載の印刷方法。
【請求項３】
前記印刷層形成処理では、厚みが均一である前記内部散乱部材の表面上に前記印刷層を形成する請求項２に記載の印刷方法。
【請求項４】
前記印刷層形成処理では、厚みが均一である前記透明層を有する前記印刷層を形成する請求項１乃至３のいずれか一項に記載の印刷方法。
【請求項５】
前記印刷層形成処理では、前記透明層と前記基材との間に配置される前記白色層を有する前記印刷層を形成する請求項１乃至４のいずれか一項に記載の印刷方法。
【請求項６】
前記印刷層形成処理では、前記透明層と隣接する前記白色層を有する前記印刷層を形成する請求項５に記載の印刷方法。
【請求項７】
前記印刷層形成処理では、前記白色層と隣接する前記黒色層を有する前記印刷層を形成する請求項５又は６に記載の印刷方法。
【請求項８】
前記印刷層形成処理では、カラー流体により構成されたカラー層と、前記カラー層と前記透明層の間で前記カラー層と隣接する前記白色層と、を有する前記印刷層を形成する請求項１乃至７のいずれか一項に記載の印刷方法。
【請求項９】
前記印刷層形成処理では、前記対象物の表面にて露出している透明部分の厚みに関する厚みデータ、及び、前記対象物の表面への入射光に対する前記対象物の光散乱特性に関する光散乱特性データに基づいて設定された形成条件に従い、前記基材に前記印刷層を像様に形成する請求項１乃至８のいずれか一項に記載の印刷方法。
【請求項１０】
前記印刷層形成処理では、前記基材の表面の各単位領域に対して設定された前記形成条件に従って像様に配置される前記白色層を有する前記印刷層を形成する請求項９に記載の印刷方法。
【請求項１１】
基材と、対象物の表面の質感に関するデータに基づいて前記基材に形成された多層構造の印刷層と、を有し、  前記印刷層は、  透明な透明層と、  白色流体により構成され、且つ前記印刷層において前記データに応じた位置に配置された白色層と、  黒色流体により構成され、且つ前記印刷層において前記白色層が存在する領域で前記白色層と前記基材との間に配置された黒色層と、を備えることを特徴とする印刷物。
【請求項１２】
対象物の表面の質感を再現する印刷システムであって、  基材に多層構造の印刷層を形成する印刷層形成装置と、  前記質感に関するデータに基づいて、前記印刷層を前記印刷層形成装置に形成させる印刷制御装置と、を有し、  前記印刷制御装置は、前記印刷層形成装置に、  透明な透明層と、  白色流体により構成され、且つ前記印刷層において前記データに応じた位置に配置される白色層と、  黒色流体により構成され、且つ前記印刷層において前記白色層が存在する領域で前記白色層と前記基材との間に配置される黒色層と、  を有する前記印刷層を形成させることを特徴とする印刷システム。
【発明の詳細な説明】
【技術分野】
【０００１】  本発明は、印刷方法及び印刷システムに係り、特に、対象物の表面の質感を再現するための印刷方法及び印刷システムに関する。  また、本発明は、対象物の表面の質感が再現された印刷物にも関する。
【背景技術】
【０００２】  近年、印刷技術の発展により、再現対象物（以下、単に「対象物」という）の質感の再現が可能となってきている。例えば、３次元プリント技術の開発により、対象物の質感（具体的には、厚み等）を良好に再現することができる。また、硬化性を有するクリアインク等を用いた印刷（以下、便宜的に「２．５次元プリント」という）の技術により、対象物の質感、特に、対象物の表面における光学的質感を良好に再現することができる。ここで、光学的質感としては、具体的には、光の内部散乱特性、及び、対象物の表面に露出している透明部分の奥行き感（換言すると、透明部分の厚み）等が該当する。【０００３】  ２．５次元プリントにおいて印刷物各部の光学的質感を調整するためには、当該各部における透明層（例えば、クリアインク層）の厚みを変化させる必要がある。透明層の厚みを場所毎に変えるには、各場所においてクリアインクの吐出及び硬化を厚みに応じて繰り返すことになる。このような手順での印刷は、印刷物の生成に長い時間を要してしまう。【０００４】  上述した２．５次元プリントの問題を解決する方法としては、例えば、特許文献１に記載の技術が挙げられる。特許文献１に記載の技術（特に、特許文献１の実施例２に記載の技術）によれば、印刷物において透明層が一定の厚みを有し、且つ、透明層の上方又は下方にホワイトインクからなる層（以下、「白色層」ともいう。）が設けられる。この白色層は、印刷物中、光散乱が抑制される箇所（つまり、光の内部散乱が少ない部位）に設けられる。このように特許文献１に記載の技術を用いることで、透明層の厚みを場所に応じて変えることなく、白色層を形成するだけで光学的質感を調整することが可能となる。この結果、対象物の光学的質感を再現するための印刷がより高速に行われるようになる。
【先行技術文献】
【特許文献】
【０００５】
【特許文献１】特開２０１８−１２２４２号公報
【発明の概要】
【発明が解決しようとする課題】
【０００６】  しかしながら、特許文献１に記載したように透明層の近傍に白色層を設けると、印刷物に入射した光が白色層を通じて異常に伝播する虞があり、例えば、白色層周囲に光が回り込む可能性がある。したがって、白色層を設ける場合には、その周辺での光の異常伝播を抑える必要がある。【０００７】  そこで、本発明は、上記の事情に鑑みてなされたものであり、以下に示す目的を解決することを課題とする。  具体的に説明すると、本発明は、上記従来技術の問題点を解決し、対象物の光学的質感を良好に再現するための印刷を高速且つ適切に行うことが可能な印刷方法及び印刷システムを提供することを目的とする。  また、本発明の他の目的は、印刷物中に形成された白色層での光の異常伝播が抑えられた印刷物を提供することである。
【課題を解決するための手段】
【０００８】  上記の目的を達成するために、本発明の印刷方法は、対象物の表面の質感を再現する印刷方法であって、質感に関するデータに基づいて、基材に多層構造の印刷層を形成する印刷層形成処理を実施し、印刷層形成処理では、透明な透明層と、白色流体により構成され、且つ印刷層においてデータに応じた位置に配置される白色層と、黒色流体により構成され、且つ印刷層において白色層が存在する領域で白色層と基材との間に配置される黒色層と、を有する印刷層を形成することを特徴とする。【０００９】  上述した本発明の印刷方法によれば、印刷層において白色層が存在する領域で白色層と基材との間に黒色層を配置する。この黒色層が白色層周囲への光の異常伝播を抑制することにより、対象物の光学的質感を良好に再現するための印刷を高速且つ適切に行うことが可能となる。【００１０】  また、印刷層形成処理では、厚みが均一である白色媒体と白色媒体に重ねられた内部散乱部材とを有する基材を用意し、内部散乱部材の表面上に印刷層を形成するとよい。  上記の構成であれば、印刷によって対象物の質感を再現する際に、内部散乱部材の光散乱特性を利用することができる。【００１１】  また、印刷層形成処理では、厚みが均一である内部散乱部材の表面上に印刷層を形成するとよい。  上記の構成であれば、内部散乱部材の厚みが均一であるので、内部散乱部材の各部分における光散乱特性も略均一となる。この場合には、内部散乱部材の光散乱特性が部分間で異なる場合と比較して、所望の光散乱特性を再現し得る印刷層の形成条件（具体的には層構成等）を設定するための計算がより容易になり、より高速に実施される。また、部位毎に厚みが異なるような印刷プロセスに代えて、均一厚みの内部散乱部材を重ねることにすれば、質感再現の処理がより容易になる。【００１２】  また、印刷層形成処理では、厚みが均一である透明層を有する印刷層を形成するとよい。  上記の構成によれば、透明層の厚みを場所に応じて変える場合と比較して、印刷層をより容易に形成することができ、且つ印刷層の形成速度をより高速化することが可能となる。【００１３】  また、印刷層形成処理では、透明層と基材との間に配置される白色層を有する印刷層を形成するとよい。  上記の構成によれば、透明層の下層に白色層が存在するので、透明層の下層からの光反射がより明瞭に視認されるようになる。これにより、より薄い透明層であっても対象物の光学的質感（厳密には、対象物が有する透明部分の奥行き感）を良好に再現することができる。この結果、透明層の形成時には透明層の厚みをより薄くすることができるため、印刷層の形成速度を高速化することが可能となる。【００１４】  また、印刷層形成処理では、透明層と隣接する白色層を有する印刷層を形成するとよい。  上記の構成によれば、白色層を形成することで、光散乱の制御がより容易になる。これにより、透明層の厚みを薄くしても対象物の光学的質感が良好に再現されるという効果が、より効果的に発揮されるようになる。【００１５】  また、印刷層形成処理では、白色層と隣接する黒色層を有する印刷層を形成するとよい。  上記の構成によれば、黒色層によって白色層周辺へ光の異常伝播を抑える効果が、より効果的��発揮されるようになる。【００１６】  また、印刷層形成処理では、カラー流体により構成されたカラー層と、カラー層と透明層との間でカラー層と隣接する白色層と、を有する印刷層を形成するとよい。  上記の場合には、印刷層においてカラー層を有する部分では、カラー層と透明層の間に白色層が介在しているので、対象物の表面色を良好に再現することが可能となる。【００１７】  また、印刷層形成処理では、対象物の表面にて露出している透明部分の厚みに関する厚みデータ、及び、対象物の表面への入射光に対する対象物の光散乱特性に関する光散乱特性データに基づいて設定された形成条件に従い、基材に印刷層を像様に形成するとよい。  上記の構成では、対象物の質感に関するデータ（具体的には、厚みデータ及び光散乱特性データ）に基づいて印刷層の形成条件を設定する。この形成条件に従って印刷層を形成すれば、対象物の光学的質感を良好に再現することが可能となる。【００１８】  また、印刷層形成処理では、基材の表面の各領域に対して設定された形成条件に従って像様に配置される白色層を有する印刷層を形成するとよい。  上記の構成では、形成条件に従って印刷層を形成する際、白色層を像様（イメージワイズ）に配置することができる。この結果、対象物の光学的質感（特に、透明部分の奥行き感）が良好に再現されるようになる。【００１９】  また、前述した課題を解決するため、本発明の印刷物は、基材と、対象物の表面の質感に関するデータに基づいて基材に形成された多層構造の印刷層と、を有し、印刷層は、透明な透明層と、白色流体により構成され、且つ印刷層においてデータに応じた位置に配置された白色層と、黒色流体により構成され、且つ印刷層において白色層が存在する領域で白色層と基材との間に配置された黒色層と、を備えることを特徴とする。  上記のように構成された本発明の印刷物であれば、その中に形成された白色層周囲への光の異常伝播が抑えられるようになる。【００２０】  また、前述した課題を解決するため、本発明の印刷システムは、対象物の表面の質感を再現する印刷システムであって、基材に多層構造の印刷層を形成する印刷層形成装置と、質感に関するデータに基づいて、印刷層を印刷層形成装置に形成させる印刷制御装置と、を有し、印刷制御装置は、印刷層形成装置に、透明な透明層と、白色流体により構成され、且つ印刷層においてデータに応じた位置に配置される白色層と、黒色流体により構成され、且つ印刷層において白色層が存在する領域で白色層と基材との間に配置される黒色層と、を有する印刷層を形成させることを特徴とする。  上記のように構成された本発明の印刷システムを用いることにより、対象物の光学的質感を良好に再現するための印刷を、高速且つ適切に行うことが可能となる。
【発明の効果】
【００２１】  本発明によれば、対象物の光学的質感を良好に再現するための印刷を高速且つ適切に行うことが可能となる。  また、本発明によれば、印刷物中に形成された白色層周囲への光の異常伝播が抑えられた印刷物を提供することが可能である。
【図面の簡単な説明】
【００２２】
【図１】対象物の例を示す図である。
【図２】光の内部散乱現象を示す模式図である。
【図３】印刷物の構成を示す模式図である。
【図４】印刷システムの構成を示す図である。
【図５】印刷層形成装置の構成を示す概略図である。
【図６】印刷層形成装置が有する吐出機構のノズル面を示す図である。
【図７】サンプルパターンを示す図である。
【図８】対象物の表面と、基材の印刷面における印刷層の形成領域とを示す図である。
【図９】矩形波チャートを示す図である。
【図１０】光散乱特性データの一例を示す図である。
【図１１】質感再現印刷のフロー図である。
【図１２】光散乱特性推定処理の流れを示す図である。
【図１３】ＢＳＳＲＤＦ特性についての第１パターンを示す図である。
【図１４】ＢＳＳＲＤＦ特性についての第２パターンを示す図である。
【図１５】ＢＳＳＲＤＦ特性についての第３パターンを示す図である。
【図１６】ＢＳＳＲＤＦ特性についての第４パターンを示す図である。
【図１７】演算マトリクスを示す図である。
【図１８】形成条件設定処理の流れを示す図である。
【図１９】変形例に係る印刷物の構成を示す模式図である。
【発明を実施するための形態】
【００２３】  本発明の一実施形態（以下、「本実施形態」と言う。）に係る印刷方法、印刷物及び印刷システムについて、添付の図面を適宜参照しながら、以下に詳細に説明する。  なお、以下に説明する実施形態は、本発明の理解を容易にするために挙げた一例に過ぎず、本発明を限定するものではない。すなわち、本発明は、その趣旨を逸脱しない限りにおいて、以下に説明する実施形態から変更又は改良され得る。また、当然ながら、本発明には、その等価物が含まれる。
【００２４】  また、本明細書において、「〜」を用いて表される数値範囲は、「〜」の前後に記載される数値を下限値及び上限値として含む範囲を意味する。  また、本明細書では、特に断る場合を除き、後述する印刷層の積層方向を上下方向とし、基材により近い側を「下側」とし、基材からより離れている側を「上側」とすることとする。
【００２５】  ＜本実施形態の概要＞  先ず、本実施形態の概要について説明する。  本実施形態に係る印刷方法及び印刷システムは、対象物の表面の質感を再現した印刷物を生成するために利用される。ここで、「対象物」とは、質感再現の対象となる部材である。対象物の一例としては、表面の質感（厳密には、光学的質感）が部位に応じて異なる材料が挙げられ、具体的には、花崗岩及び大理石等の岩石、石、木材、髪の毛、骨、皮膚（肌）、歯、コットン及びシルクなどの天然素材が挙げられる。
【００２６】  なお、以下では、図１に示した花崗岩Ｔを対象物とするケースを例に挙げて説明する。ただし、本実施形態は、当然ながら、他の材料を対象物とするケースにも適用可能である。
【００２７】  また、本実施形態において、「質感」とは、例えば光散乱特性及び奥行き感である。奥行き感は、対象物の表面にて露出している透明部分（例えば、図１に示す花崗岩Ｔの表面に現れる石英Ｔｃ）の厚みである。ここで、透明部分の厚みとは、対象物の表面から、透明部分とそれに隣接する部分（具体的には、透明部分の直下にある有色部分）との界面までの長さである。
【００２８】  また、光散乱特性は、光の内部散乱特性（表面下散乱とも言う。）のことである。内部散乱は、光が物体に対して照射された際に、図２に示すように、その物体内部で光が反射及び散乱を繰り返すことで、物体表面における光の入射位置から離れた位置から光が出射することである。また、光の内部散乱特性は、光の入射位置から出射位置までの距離（図２に示した距離ｄ）、及び出射位置における光の強度に基づいて特定される。
【００２９】  本実施形態では、上述した対象物の表面の質感を再現するために、インクからなる印刷層を基材に形成する質感再現印刷を実施する。この質感再現印刷により、図３に示した印刷物１が生成される。印刷物１の表面（視認される側の面）は、対象物の表面の色、模様及び質感が再現されている。
【００３０】  ＜本実施形態で生成される印刷物について＞  次に、図３を参照しながら、本実施形態で生成される印刷物１について説明する。なお、図３では、印刷物１の構成を模式的に図示しており、図示の都合上、各部分の厚み及びサイズ等が実際の内容と異なっている。
【００３１】  印刷物１は、図３に示した基材２と、基材２の表面（印刷面）に形成された印刷層５と、によって構成されている。また、質感再現印刷に用いられる基材２は、質感再現印刷用の基材２である。
【００３２】  質感再現用の基材２は、白色媒体３である白色紙の上に薄板状の内部散乱部材４を積層させて構成される積層体である。ここで、内部散乱部材４は、半透明（例えば半濁色又は乳半色）の光透過性部材であり、全光線透過率と散乱光線透過率との差が０％〜１０％となる部材である。内部散乱部材４の具体例としては、乳半色又は白色のアクリル板、塩ビ材又はＰＥＴ（ポリエチレンテレフタラート）材等、紫外線硬化性インクを用いたインクジェット印刷に利用される基材が挙げられる。なお、内部散乱部材４としては、全光線透過率が１０％〜８０％以下であり、且つ、透過光線透過率が１０％〜８０％である部材がより好ましい。また、内部散乱部材４については、Ｈａｚｅ値が１〜９０％であることが好ましく、より好ましくはＨａｚｅ値が３０〜６０％であると良い。  なお、本実施形態において、内部散乱部材４の各部分の厚みは均一であるが、これに限定されず、内部散乱部材４の各部分の厚みが均一ではなく変化してもよい。
【００３３】  白色媒体３である白色紙は、印刷物１の最下層を構成する。白色媒体３は、内部散乱部材４と密着しており、例えば内部散乱部材４の表面上に接着している。ただし、白色媒体３は、内部散乱部材４に接着している場合に限定されず、内部散乱部材４に接していればよい。また、白色媒体３については、印刷物１の中で最も光の反射率が高く、反射率が９０％以上となるように設定されていると好ましい。また、白色媒体３は、白色紙に限定されず、白色のシート、フィルム、板材及び繊維体（布）、並びにプラスチック基材（例えば、アクリル材、ＰＥＴ（ポリエチレンテレフタラート）材、塩ビ材）等を代用することが可能である。  なお、質感再現用の基材２は、白色媒体３及び内部散乱部材４を有する基材に限定されず、例えば、内部散乱部材４単体であってもよく、あるいは、白色媒体３及び内部散乱部材４以外の部材を有するものであってもよい。また、本実施形態において、白色媒体３の各部分の厚みは均一であるが、これに限定されず、白色媒体３の各部分の厚みが均一ではなく変化してもよい。
【００３４】  印刷層５は、印刷面である基材２の表面に着弾（付着）したインクの層を積層させた多層構造からなる。また、印刷層５は、対象物の表面の質感に関するデータ（具体的には、後述の厚みデータ及び光散乱特性データ）に基づいて基材２の印刷面上に形成される。
【００３５】  本実施形態において用いられるインクは、カラー流体であるＹＭＣ（イエロー、マゼンタ、及びシアン）３色のカラーインク、黒色流体であるブラック（Ｋ）インク、白色流体であるホワイトインク、及び、クリアインクである。カラーインクは、有色の顔料又は染料を含有し、カラー印刷に用いられる一般的なインクである。ブラックインクは、カーボンブラックを高濃度にて含有する黒色のインクである。ホワイトインクは、白色の顔料又は染料を含有し、例えば下地印刷等に使用される白色のインクである。クリアインクは、光（具体的には、紫外線）を受けることで硬化する紫外線硬化型の流体である。なお、本発明において印刷層５を形成するために用いられるクリアインクは、光の照射により硬化可能な透明流体であればよい。また、照射光としては、紫外線、赤外線、及び可視光線等が挙げられる。
【００３６】  また、本実施形態では、印刷面における印刷層５の形成範囲を複数の単位領域に区画し、印刷層５が図３に示すように各単位領域の位置に応じて像様（イメージワイズ）に形成される。これにより、印刷物１にて再現される質感が、印刷物１の各部分に応じて変化したものとなる。換言すると、印刷物１の各部分での質感は、印刷層５中、当該各部分における構造（層構造）に応じて定まることになる。
【００３７】  ここで、印刷面における印刷層５の形成範囲を区画する際の単位である単位領域は、微小な方形領域であり、対象物の光散乱特性を定義する際に設定される分割領域である。より具体的に説明すると、単位領域は、例えば、カメラ等を用いて光散乱特性を計測する際に、対象物の表面をカメラで撮影した際の解像度（画素）と対応するサイズに設定された領域、あるいは、そのサイズを平均化した、より広いサイズの領域である。
【００３８】  印刷層５について詳しく説明すると、図３に示すように、印刷層５は、その全域（つまり、印刷面全体）に亘って透明層８を有する。透明層８は、基材２に着弾したクリアインクを硬化させて構成されるインク層であり、最も光が伝播し易く、質感に及ぼす影響が大きい層である。この透明層８は、対象物の表面にて露出している透明部分の奥行き感を再現する目的で形成される。そのため、印刷物１のうち、透明部分と対応する部位１ａでは、図３に示すように透明層８が印刷層５の最表層に配置される。
【００３９】  なお、透明層８の形成については、クリアインクによって構成する場合に限らず、例えば、透明なアクリル板又は塩ビの板等を透明層８として配置する場合でもよい。
【００４０】  透明層８について補足しておくと、本実施形態において、透明層８は、前述したように、印刷層５の全体（換言すると、全ての単位領域）に亘って形成される。そして、透明層８の各部分は、図３に示すように、印刷物１の厚み方向（上下方向）において略同じ位置に在る。また、透明層８の各部分の厚みは、図３に示すように均一である。ただし、これに限定されるものではなく、透明層８の各部分の厚みが均一でなく変化してもよい。また、印刷物１の厚み方向における透明層８の各部分の位置（上下位置）が部分間で異なってもよい。
【００４１】  他方、印刷物１のうち、対象物の透明部分とは異なる部分（すなわち、対象物の有色部分）と対応する部位１ｂでは、図３に示すように、カラー層６が印刷層５の最表層に配置される。カラー層６は、ＹＭＣ３色のカラーインクによって構成されるインク層である。
【００４２】  また、本実施形態では、ホワイトインクによって構成された白色層７が印刷層５内に配置される。この白色層７は、印刷層５において、対象物の表面の質感に関するデータ（具体的には、後述の厚みデータ及び光散乱特性データ）に応じた位置に配置される。詳しく説明すると、上記のデータに基づいて印刷層５の形成条件が設定され、当該形成条件に従って印刷層５が形成される結果、印刷層５において白色層７が像様（イメージワイズ）に配置される。
【００４３】  図３を参照しながらより詳細に説明すると、印刷物１のうち、透明部分と対応する部位１ａでは、透明層８と基材２との間に白色層７が配置され、本実施形態では透明層８の直下にて白色層７が透明層８と隣接する。このように透明層８の直下に白色層７が設けられることで、透明層８の下層からの光反射がより明瞭に視認されるようになる。これにより、例えば、比較的厚みを有する透明部分の奥行き感を再現するにあたり、透明層８の厚みを比較的薄くしても、白色層７によって上記の奥行き感が良好に再現される。
【００４４】  他方、印刷物１のうち、有色部分と対応する部位１ｂでは、図３に示すように、カラー層６と透明層８との間に白色層７が配置され、本実施形態ではカラー層６の直下にて白色層７がカラー層６と隣接する。このようにカラー層６の直下に白色層７が設けられていることで、カラー層６の上方から入射された光が、カラー層６を透過した後に白色層７にて反射する。これにより、カラー層６を通った光は、散乱及び吸収されることなく、効率的に反射することで視認者にとって比較的鮮明に見えるようになる。これにより、有色部分と対応する部位１ｂでは、例えば、当該に入射された光が内部散乱によって入射位置から離れた位置で反射する際に、入射位置と反射位置との距離が然程離れない光散乱特性が再現される。
【００４５】  さらに、本実施形態では、ブラック（Ｋ）インクによって構成された黒色層９が印刷層５内に配置される。この黒色層９は、図３に示すように、印刷層５において白色層７が存在する領域で白色層７と基材２との間に配置される。詳しく説明すると、印刷層５を視認側から見た際に、黒色層９は、白色層７が配置された場所と同じ場所に、白色層７の外縁と黒色層９の外縁とが一致するように配置される（つまり、本実施形態では白色層７と黒色層９とが完全に重なる）。
【００４６】  図３を参照しながらより詳細に説明すると、印刷物１の、透明部分と対応する部位１ａ及び有色部分と対応する部位１ｂのいずれにおいても、白色層７と基材２との間に黒色層９が配置され、本実施形態では白色層７の直下にて黒色層９が白色層７と隣接する。特に、有色部分と対応する部位１ｂでは、図３に示すように、透明層８の直下位置に黒色層９がさらに設けられており、黒色層９が透明層８と隣接する。
【００４７】  本実施形態では、以上のように白色層７の下方に黒色層９が配置されていることにより、白色層７にて反射された光が当該白色層７の周囲に向かって広がる（拡散する）際に、その光を黒色層９が吸収する。この結果、白色層７周辺への光の異常伝播が抑制されるようになる。かかる効果は、白色層７の直下位置にて黒色層９が白色層７と隣接すると、より効果的に発揮される。
【００４８】  なお、前述したように、本実施形態では、白色層７と黒色層９とが完全に重なっており、換言すると、印刷層５を視認側から見た際に、黒色層９の全面が白色層７によって覆い隠されている。これにより、黒色層９を視認者によって気付かれないようにすることが可能となる。
【００４９】  ちなみに、印刷層５を視認側から見た際に、黒色層９の全面が白色層７によって覆い隠されていればよく、例えば、黒色層９の平面サイズが、その直上位置にある白色層７の平面サイズよりも小さくなっていてもよい。ただし、白色層７周辺への光の異常伝播を抑える観点では、黒色層９の平面サイズと白色層７の平面サイズとが揃っていて黒色層９及び白色層７が完全に重なっている方が、より好ましい。
【００５０】  ＜本実施形態に係る印刷システムの構成＞  次に、本実施形態に係る印刷システム１０の構成について説明する。印刷システム１０は、対象物の表面の質感を再現する設備であり、厳密には、当該質感を再現した印刷物１を生成する。印刷システム１０は、図４に示すように、印刷層形成装置２０、厚みデータ取得装置３０、光散乱特性データ取得装置４０及び印刷制御装置５０を主要構成機器として有する。以下、印刷システム１０の各構成機器について個別に説明する。
【００５１】  （印刷層形成装置）  印刷層形成装置２０は、基材２の印刷面（すなわち、内部散乱部材４の上側の表面）に向けて流体としてのインクを吐出して、印刷面上に多層構造の印刷層５を形成する装置である。本実施形態において、印刷層形成装置２０は、例えば、インクジェットプリンタによって構成される。
【００５２】  具体的に説明すると、印刷層形成装置２０は、各種のインクを基材２の印刷面（厳密には、印刷面において印刷層５が形成される範囲）の各単位領域に向けて順次吐出する。各単位領域では、着弾したインクのドットがインク層を形成し、各インク種類のインク層が複数重ねられる。これにより、印刷面上に多層構造の印刷層５が形成される。
【００５３】  印刷層形成装置２０は、図４及び図５に示すように、移動機構２１と吐出機構２２と硬化機構２３と制御機構２４とを有する。移動機構２１は、印刷層形成装置２０内における移動経路２１Ｒに沿って基材２を移動させる。移動機構２１は、図５に図示のように駆動ローラによって構成されてもよく、あるいは駆動ベルトによって構成されてもよい。
【００５４】  なお、移動機構２１は、印刷速度をより高速化する観点から、基材２を順方向にのみ移動させるワンウェイ搬送型の移動機構である。ただし、これに限定されるものではなく、基材２を移動経路２１Ｒに沿って一定距離だけ下流側に移動させた後に同じ距離だけ上流側に逆走させ、その後に再度下流側に移動させる可逆搬送型の移動機構であってもよい。
【００５５】  吐出機構２２は、ピエゾ素子の駆動によって各種のインクを吐出する記録ヘッドによって構成されている。この吐出機構２２は、その下面が基材２の印刷面と対向している間に、図５に示すように印刷面に向けて各種のインクを吐出する。より詳しく説明すると、吐出機構２２は、基材２の移動方向と交差する走査方向に移動可能である。また、吐出機構２２の下面は、図６に示すように、インク種類別にノズル列が形成されたノズル面２２Ｓとなっている。なお、ノズル面２２Ｓには、走査方向の一端側から順に、ホワイトインク吐出用のノズル列Ｎｗ、イエローインク吐出用のノズル列Ｎｙ、マゼンタインク吐出用のノズル列Ｎｍ、シアンインク吐出用のノズル列Ｎｃ、ブラックインク吐出用のノズル列Ｎｋ、及びクリアインク吐出用のノズル列Ｎｈがそれぞれ１列ずつ設けられている。ただし、各種インクを吐出するノズル列の本数及び配置位置等は、任意に設定することができ、図６に図示した構成以外の構成であってもよい。
【００５６】  そして、ノズル面２２Ｓが基材２の印刷面と対向している間、吐出機構２２は、シャトルスキャン方式により、不図示のキャリッジによって印刷面の直上位置にて走査方向に移動しながら、印刷面中の各単位領域に向けて、当該各単位領域に対応する種類のインクを吐出する。各種のインクは、吐出先の単位領域に着弾してドットを形成する。この結果、基材２の表面上には、カラー層６、白色層７、透明層８及び黒色層９が各単位領域の位置に応じてイメージワイズ（像様）に配置された印刷層５が形成される。
【００５７】  なお、吐出機構２２からインクを吐出する方式としては、ピエゾ素子駆動方式に限定されない。例えば、ヒーター等の発熱体によってインクを加熱することで発生する気泡の圧力によってインク滴を飛ばすサーマルジェット方式をはじめ、各種の吐出方式を利用することができる。また、本実施形態では、吐出機構２２がシリアルタイプのヘッドによって構成され、シャトルスキャン方式にてインクを吐出するものであるが、これに限定されるものではない。例えば、吐出機構２２が、フルラインタイプのヘッドによって構成されたものであり、シングルパス方式にてインクを吐出するものであってもよい。また、本実施形態では、各種インクのノズル列すべてが同一のノズル面２２Ｓに形成されているが、これに限定されるものではない。例えば、吐出機構２２が、複数の記録ヘッドからなり、各記録ヘッドが互いに異なる種類のインクを吐出する構成でもよい。
【００５８】  硬化機構２３は、基材２の印刷面上に着弾したクリアインクのドットに光（厳密には紫外線）を照射してクリアインクのドットを硬化させる。硬化機構２３は、例えばメタルハライドランプ、高圧水銀ランプ、及び紫外線ＬＥＤ（Light Emitting Diode）等によって構成されており、本実施形態では基材２の移動方向において吐出機構２２よりも下流側に配置されている。
【００５９】  なお、本実施形態では、基材２の移動方向において吐出機構２２と硬化機構２３とが互いに離間して配置されている。ただし、これに限定されるものではなく、吐出機構２２と硬化機構２３とが共通のキャリッジ（不図示）に搭載され、吐出機構２２と硬化機構２３とが一体的に走査方向に移動する構成であってもよい。このような構成では、硬化機構２３が吐出機構２２の脇位置に配置され、一回の走査動作において吐出機構２２がクリアインクを吐出した直後に、硬化機構２３がそのクリアインク（厳密には、印刷面上に着弾したクリアインクのドット）に向けて紫外線を照射すると、好ましい。
【００６０】  制御機構２４は、印刷層形成装置２０に内蔵されたコントローラであり、不図示の駆動回路を介して移動機構２１、吐出機構２２及び硬化機構２３の各々を制御する。より詳しく説明すると、制御機構２４は、印刷制御装置５０から送られてくる印刷データを受信する。印刷データとは、印刷層５の形成条件を示すデータである。印刷データについては、後に詳しく説明する。
【００６１】  印刷データの受信直後に、例えば、印刷層形成装置２０の基材導入口（不図示）に所定の基材２が手差し方式で挿入されると、制御機構２４は、この基材２をピックアップして移動経路２１Ｒに沿って断続的に移動させるように移動機構２１を制御する。
【００６２】  次に、制御機構２４は、吐出機構２２のノズル面２２Ｓと基材２の印刷面とが対向している間に、印刷データに従って吐出機構２２を制御して、印刷面の各単位領域に向けて吐出機構２２からインクを吐出させる。この際、各単位領域に着弾するインクの種類、量及び密度（ドットの密度）等は、印刷データが示す形成条件に応じて決められている。
【００６３】  また、制御機構２４は、移動機構２１による基材２の移動動作と、吐出機構２２の走査動作とを交互に繰り返し、且つ各走査動作においてインクを吐出させるノズルを制御する。これにより、印刷面中の同じ単位領域にインクのドットを重ねて形成することができ、例えば、同じ種類のインクのドットを重ねることにより、そのインクからなるインク層の厚みを調整することが可能となる。また、ある種類のインクのドットの上に、別の種類のインクのドットを重ねることにより、前述の多層構造が形成されることになる。
【００６４】  なお、多層構造における各インク層の積層順序については、前述した通りである。例えば、対象物の透明部分と対応する部位１ａでは、透明層８が最表層として配置される。他方、対象物の有色部分と対応する部位１ｂでは、カラー層６が最表層として配置される。
【００６５】  また、制御機構２４は、吐出機構２２にインクを吐出させるのと併行して、硬化機構２３を制御して紫外線を照射させる。これにより、クリアインクのドットが存在する単位領域では、当該クリアインクのドットが硬化されて透明層８が形成されるようになる。
【００６６】  そして、印刷データが示す形成条件に従って制御機構２４が移動機構２１、吐出機構２２及び硬化機構２３を制御すると、インク層の積層数、各インク層の種類及び厚みが単位領域毎に調整される。換言すると、印刷層５の各部分が当該各部分の位置に応じて像様（イメージワイズ）に形成される。この結果、印刷層５の表面（視認側の表面）にて対象物の表面の質感が再現される。
【００６７】  そして、印刷面に印刷層５が形成された基材２、すなわち印刷物１は、移動機構２１によって印刷層形成装置２０の排出口まで移動し、排出口から印刷層形成装置２０の外に排出される。
【００６８】  また、本実施形態に係る印刷層形成装置２０は、図７に示したサンプルパターンＳＰ１〜ＳＰ５を基材２に形成することが可能である。各サンプルパターンＳＰ１〜ＳＰ５は、単色且つ一層のみのインク層からなり、後述する光散乱特性データ取得装置４０がインク種類別の光散乱特性データを取得する上で必要な印刷画像として形成される。
【００６９】  サンプルパターンＳＰ１〜ＳＰ５について説明すると、サンプルパターンＳＰ１〜ＳＰ５は、図７に示すように、ＹＭＣＫ４色のインク及びホワイトインクの各々について、ドットの密度を段階的に変更させて形成される。ここで、ドットの密度とは、単位面積におけるドットの占有率を意味し、換言するとパターン濃度（濃淡）である。なお、ドットの密度は、ドットのサイズ、及び単位面積におけるドット数によって決まる。
【００７０】  印刷層形成装置２０が各サンプルパターンＳＰ１〜ＳＰ５を基材２に形成する場合、制御機構２４は、サンプルパターン形成用の印刷データを印刷制御装置５０から受信する。サンプルパターン形成用の印刷データには、各サンプルパターンＳＰ１〜ＳＰ５の形成条件（具体的には、各サンプルパターンＳＰ１〜ＳＰ５の位置、使用インクの種類、及びドットの密度等）が規定されている。制御機構２４は、サンプルパターン形成用の印刷データを受信すると、そのデータに従って移動機構２１、吐出機構２２及び硬化機構２３を制御する。これにより、各色のインクについて、各サンプルパターンＳＰ１〜ＳＰ５がドットの密度を段階的に変化させて基材２に形成する。なお、サンプルパターン形成に用いられる基材２は、質感再現用の基材２であってもよく、質感再現用の基材２とは異なる基材２（例えば、白色紙）であってもよい。
【００７１】  （厚みデータ取得装置）  厚みデータ取得装置３０は、対象物の表面にて露出している透明部分の厚みに関する厚みデータを取得する装置である。本実施形態に係る厚みデータ取得装置３０は、Ｘ線ＣＴ（Computed Tomography）計測装置によって構成されており、Ｘ線ＣＴスキャンによって対象物の断層画像を取得し、断層画像をレンダリング処理して透明部分を３次元化することで透明部分の厚みを計測する（例えば、『中野司，中島善人,中村光一，池田進，“Ｘ線ＣＴによる岩石内部構造の観察・解析方法”，地質学雑誌，第106巻，第５号，pp.363-378，Ｍａｙ 2000』参照）。
【００７２】  また、本実施形態では、対象物の表面を複数の単位表面領域に区画し、厚みデータ取得装置３０が単位表面領域毎に厚みを測定し、単位表面領域毎の厚みを示す厚みデータを取得することになっている。ここで、単位表面領域とは、対象物の表面を、基材２の印刷面（厳密には、印刷面における印刷層５の形成範囲）を複数の単位領域に区画する要領と同様の要領にて区画した場合の単位である。
【００７３】  図８を参照しながら分かり易く説明すると、基材２の印刷面（図８中、記号２Ａにて示す）、及び対象物の表面（図８中、記号ＴＡにて示す）の双方が矩形形状である。それぞれを複数の微小領域に区画したとき、印刷面を構成する各微小領域が前述の単位領域（図８中、記号２Ｂにて示す）であり、対象物の表面を構成する各微小領域が単位表面領域（図８中、記号ＴＢにて示す）である。  なお、図８では、図示の都合上、印刷面を構成する単位領域の個数、及び、対象物の表面を構成する単位表面領域の個数は、実際の個数よりも少なく図示されている。
【００７４】  また、対象物の表面中の各単位表面領域は、印刷面中、当該各単位表面領域の配置位置と同じ位置に配置された単位領域と対応付けられる。例えば、図８中、丸枠で囲まれた単位表面領域と単位領域とが互いに対応している。
【００７５】  （光散乱特性データ取得装置）  光散乱特性データ取得装置４０は、光散乱特性に関するデータである光散乱特性データを取得する。本実施形態では、光の散乱特性が変調伝達関数（Modulated Transfer Function；以下、ＭＴＦと言う。）及び双方向散乱面反射率分布関数（Bidirectional Scattering Surface Reflectance Distribution Funcition；以下、ＢＳＳＲＤＦと言う。）にて表され、光散乱特性データ取得装置４０は、これらの関数にて表された光散乱特性を示す光散乱特性データを取得する。また、本実施形態に係る光散乱特性データ取得装置４０は、互いに波長が異なる複数種類の光、具体的にはＲ（赤）、Ｇ（緑）及びＢ（青）の各色の光について光散乱特性データを取得する。
【００７６】  光散乱特性を示すデータの取得方法について大まかに説明すると、ＭＴＦにて表される光散乱特性については、例えば、図９に示す矩形波チャートＬＰを用いて測定対象の光散乱特性を測定することで取得される。矩形波チャートＬＰは、図９に示すように、ガラス板等の透明基板に所定間隔で形成された複数の矩形状パターンＬＰｘからなる測定用チャートである。光散乱特性を測定する際には、測定対象と矩形波チャートＬＰとを密着させて、光を矩形波チャートＬＰ側から入射させて、測定対象の反射光を測定する。このとき、矩形波チャートＬＰの透過光が測定対象内部で散乱する結果、矩形状パターンＬＰｘのエッジ部分がぼやけ、やや暗く測定される。定性的に言えば、このぼやけ具合いが測定対象の光散乱特性を示している。また、このぼやけ具合い、すなわち測定対象の光散乱特性を定量的に評価する手法としては、当該光散乱特性を示すＭＴＦを計算する方法が利用できる。
【００７７】  なお、ＭＴＦの計算方法の一例としては、特開２０１２−２０５１２４号公報に記載された方法が挙げられるが、同公報に記載された方法に限定されず、光散乱特性を示すＭＴＦを他の方法にて求めてもよい。
【００７８】  ＢＳＳＲＤＦにて表される光散乱特性については、測定対象への照射方向における入射光の強度と、観察方向における測定対象の反射光の強度とを、それぞれ照射方向及び観察方向を変化させて測定することで得られる。なお、ＢＳＳＲＤＦにて示される光散乱特性データを取得する方法については、公知の方法が利用可能である（例えば、『Cuccia DJ, Bevilacqua F, Durkin AJ, Tromberg BJ (2005) Modulated imaging: quantitative analysis and tomography of turbid media in the spatial-frequency domain. Opt Lett 30(11):1354-1356.』参照）。また、特開２０１７−０２０８１６号公報に記載された測定装置を用いて、ＢＳＳＲＤＦの光散乱特性を測定してもよい。
【００７９】  以上のように、光散乱特性データ取得装置４０は、ＲＧＢ３色の各々の光を用いて測定対象の光散乱特性を測定することで、図１０に示すような測定対象の光散乱特性データを取得することができる。図１０は、測定した測定対象の光散乱特性を示すＭＴＦを光の色毎に示す図である。図１０の横軸は、空間周波数を示しており、図１０の縦軸は、反射光の強度（入射光の強度に対する比）を示している。
【００８０】  なお、本実施形態では、光散乱特性をＭＴＦ又はＢＳＳＲＤＦにて表し、その測定結果を示すデータを光散乱特性データ取得装置４０によって取得することとしたが、これに限定されるものではない。例えば、光散乱特性を点広がり関数（Point Spread Function；ＰＳＦ）にて表し、その測定結果を示すデータを取得してもよい。
【００８１】  そして、本実施形態に係る光散乱特性データ取得装置４０は、種々の部材を測定対象として光散乱特性を測定し、その光散乱特性データを取得する。  具体的に説明すると、光散乱特性データ取得装置４０は、第一に、質感再現の対象物に対して光散乱特性の測定を行う。これにより、光散乱特性データ取得装置４０は、対象物の表面への入射光に対する光散乱特性に関するデータ（以下、第一光散乱特性データとも言う。）を取得する。なお、本実施形態では、対象物の表面が前述したように複数の単位表面領域に区画され、光散乱特性データ取得装置４０は、単位表面領域毎の光散乱特性を示す第一光散乱特性データを取得する。
【００８２】  第二に、光散乱特性データ取得装置４０は、印刷層５を構成する各種インクについて、当該各種インクの光散乱特性に関するデータ（以下、第二光散乱特性データとも言う。）を取得する。具体的に説明すると、前述したように、印刷層形成装置２０がＹＭＣ３色のカラーインク、ブラック（Ｋ）インク、及びホワイトインクの各々について、ドットの密度を段階的に変更させて複数のサンプルパターンＳＰ１〜ＳＰ５を形成する（図７参照）。光散乱特性データ取得装置４０は、各サンプルパターンＳＰ１〜ＳＰ５を対象として光散乱特性の測定を行う。これにより、光散乱特性データ取得装置４０は、インク種類別の第二光散乱特性データを、ドットの密度を変えて当該密度毎に取得することになる。
【００８３】  第三に、印刷層形成装置２０は、質感再現用の基材２を構成する複数種類の内部散乱部材４の各々を対象として光散乱特性の測定を行う。これにより、印刷層形成装置２０は、各種類の内部散乱部材４の光散乱特性に関するデータ（以下、第三光散乱特性データとも言う。）を取得する。ここで、互いに異なる内部散乱部材４の間では、内部散乱性能（光散乱特性）に応じて変化するパラメータが異なっており、例えば、Ｈａｚｅ値が異なっていることとする。換言すると、使用する内部散乱部材４の種類を変えてＨａｚｅ値が変わることで、印刷物１の光散乱特性を変えることができる。
【００８４】  （印刷制御装置）  印刷制御装置５０は、対象物の質感に関するデータ（具体的には、前述の厚みデータ及び光散乱特性データ）に基づいて、印刷層５を印刷層形成装置２０に形成させる装置である。本実施形態において、印刷制御装置５０は、例えば、印刷層形成装置２０に接続されたホストコンピュータ（以下、単に「コンピュータ」と言う。）によって構成されている。
【００８５】  印刷制御装置５０をなすコンピュータには、ＣＰＵ（Central Processing Unit）等のプロセッサと、ＲＯＭ（Read Only Memory）及びＲＡＭ（Random Access Memory）等のメモリと、が搭載されており、当該メモリには質感再現用のアプリケーションプログラム及びプリンタドライバ等のプログラムが記憶されている。そして、印刷制御装置５０は、上記のプロセッサが質感再現用のアプリケーションプログラム及びプリンタドライバを実行することで、対象物の表面の質感を再現するための質感再現用の印刷データを作成する。
【００８６】  質感再現用の印刷データについて説明すると、当該印刷データは、前述したように、印刷層５の形成条件を示すデータである。ここで、形成条件とは、カラー層６の有無等を含む層構成、各インク層の厚み、各インク層におけるドットの密度（濃度）、及び、質感再現用の基材２が有する内部散乱部材４の種類等のパラメータの組み合わせである。形成条件は、上述したパラメータの各々を変えることで複数決めることができ、その中で印刷層形成時に実際に採用されるものは、再現対象となる質感に応じて選定される。
【００８７】  なお、印刷層５の形成条件については、上記のパラメータのうち、少なくとも一つに関する条件であればよく、上記のパラメータ以外のパラメータに関する条件が含まれてもよい。
【００８８】  また、本実施形態では、基材２の印刷面における印刷層形成範囲が複数の単位領域に区画され、印刷層５の形成時に実際に採用される形成条件が、単位領域毎に設定されることになっている。
【００８９】  そして、印刷制御装置５０は、単位領域毎に設定された形成条件を示す印刷データを作成し、当該印刷データを印刷層形成装置２０に向けて送信する。印刷層形成装置２０では、制御機構２４が印刷データを受信し、印刷データに従って印刷層形成装置２０各部を制御する。これにより、印刷層形成装置２０が基材２の印刷面上に印刷層５を形成する。このとき、印刷層形成装置２０は、印刷層５の各部分を、当該各部分と対応する単位領域に対して設定された形成条件に従って形成する。これにより、印刷層５の各部分が当該各部分の位置に応じて像様（イメージワイズ）に形成される。
【００９０】  なお、質感再現用の印刷データの作成手順については、次の「印刷物生成手順について」の項で詳細に説明することとする。
【００９１】  ＜印刷物生成手順について＞  次に、本発明の印刷方法によって印刷物１を生成する手順として、前述した質感再現印刷の流れを説明する。  質感再現印刷に用いられる印刷方法は、対象物の表面の質感を再現するための印刷方法である。また、質感再現印刷は、図１１に示すように、厚みデータ取得処理Ｓ００１、サンプルパターン印刷処理Ｓ００２、光散乱特性データ取得処理Ｓ００３、光散乱特性推定処理Ｓ００４、形成条件設定処理Ｓ００５、印刷データ送信処理Ｓ００６、及び印刷層形成処理Ｓ００７によって構成されている。以下、各処理について個別に説明することとする。
【００９２】  （厚みデータ取得処理）  厚みデータ取得処理は、厚みデータ取得装置３０が、対象物の表面にて露出している透明部分の厚みに関する厚みデータを取得する処理である。より詳しく説明すると、対象物の表面を複数の単位表面領域に区画し、厚みデータ取得装置３０が透明部分の厚みを単位表面領域毎に測定する。なお、当然ながら、透明部分に該当しない単位表面領域での厚みは０となる。  そして、すべての単位表面領域について厚みの測定が終了した時点で、厚みデータ取得装置３０は、単位表面領域毎の厚みを示す厚みデータを取得する。また、厚みデータ取得装置３０は、取得した厚みデータを印刷制御装置５０に送信する。
【００９３】  （サンプルパターン印刷処理）  サンプルパターン印刷処理は、印刷層形成装置２０により、基材２の印刷面に前述のサンプルパターンＳＰ１〜ＳＰ５を形成する処理である。より詳しく説明すると、印刷制御装置５０がサンプルパターン形成用の印刷データを印刷層形成装置２０に送信し、印刷層形成装置２０の制御機構２４が当該印刷データを受信する。なお、サンプルパターン形成用の印刷データは、予め作成されていて、印刷制御装置５０内のメモリに記憶されている。
【００９４】  制御機構２４は、サンプルパターン形成用の印刷データに従って移動機構２１、吐出機構２２及び硬化機構２３を制御する。これにより、基材２の印刷面には、ＹＭＣＫ及びホワイトの５色のインクの各々について、ドット密度（濃度）を段階的に変化させてサンプルパターンＳＰ１〜ＳＰ５が印刷される（図７参照）。なお、各サンプルパターンＳＰ１〜ＳＰ５は、ドット密度（濃度）が異なる複数のパターン片によって構成されている。ここで、各サンプルパターンＳＰ１〜ＳＰ５を構成するパターン片の数、及び各パターン片におけるドット密度（濃度）については、自由に設定することが可能であるが、図７に示す例では、パターン片の数を４個とし、各パターン片における濃度を２５％、５０％、７５％及び１００％としている。
【００９５】  （光散乱特性データ取得処理）  光散乱特性データ取得処理は、光散乱特性データ取得装置４０が前述した第一光散乱特性データ、第二光散乱特性データ及び第三光散乱特性データを取得する処理である。より詳しく説明すると、先ず、対象物の表面を複数の単位表面領域に区画し、光散乱特性データ取得装置４０が対象物の表面への入射光に対する対象物の光散乱特性（内部散乱特性）を単位表面領域毎に測定する。これにより、光散乱特性データ取得装置４０は、対象物の単位表面領域毎の光散乱特性を示す第一光散乱特性データを取得する。
【００９６】  次に、光散乱特性データ取得装置４０は、前述のサンプルパターン印刷処理にて基材２に印刷された各サンプルパターンＳＰ１〜ＳＰ５を対象として光散乱特性（内部散乱特性）を測定する。このとき、光散乱特性データ取得装置４０は、各サンプルパターンＳＰ１〜ＳＰ５を構成する複数のパターン片の各々の光散乱特性を測定する。つまり、光散乱特性データ取得装置４０は、各サンプルパターンＳＰ１〜ＳＰ５について、そのドット密度（濃度）を変えて、ドット密度毎に光散乱特性を測定する。これにより、光散乱特性データ取得装置４０は、インクの種類別に、ドット密度（濃度）毎の光散乱特性を示す第二光散乱特性データを取得する。
【００９７】  次に、光散乱特性データ取得装置４０は、質感再現用の基材２が有する内部散乱部材４の光散乱特性（内部散乱特性）を測定する。このとき、複数種類の内部散乱部材４が用意されていれば、光散乱特性データ取得装置４０は、各種類の内部散乱部材４について内部散乱特性を測定する。これにより、光散乱特性データ取得装置４０は、内部散乱部材４の種類毎に、内部散乱部材４の光散乱特性を示す第三光散乱特性データを取得する。
【００９８】  そして、光散乱特性データ取得装置４０は、取得した第一光散乱特性データ、第二光散乱特性データ及び第三光散乱特性データを印刷制御装置５０に向けて送信する。なお、本実施形態において、各光散乱特性データは、ＭＴＦ又はＢＳＳＲＤＦにて表された光散乱特性を示すデータとなっている。
【００９９】  （光散乱特性推定処理）  光散乱特性推定処理は、印刷制御装置５０が、インク種類別の第二光散乱特性データ及び第三光散乱特性データに基づいて、印刷層５の形成条件に応じた印刷物１の光散乱特性を推定する処理である。ここで、「印刷層５の形成条件に応じた印刷物１の光散乱特性」とは、ある形成条件の下で印刷層５を仮に形成した場合に生成される印刷物１の光散乱特性である。
【０１００】  また、本実施形態では、前述したように、印刷層５の形成条件が単位領域毎に設定されることになっており、これに合わせて、光散乱特性推定処理においても、印刷物１の光散乱特性を単位領域毎に推定することになっている。
【０１０１】  光散乱特性推定処理について詳しく説明すると、本処理の開始に際して、印刷層５の形成条件が複数用意される。具体的には、印刷層５におけるインク層の積層数、各インク層を構成するインクの種類、各インク層の厚み、各インク層におけるドット密度（濃度）、及び質感再現用の基材２に用いられる内部散乱部材４の種類に関して、複数の組み合わせが用意される。
【０１０２】  その後、印刷制御装置５０は、図１２に図示の流れに従って光散乱特性推定処理を実施する。図１２を参照しながら光散乱特性推定処理の流れを説明すると、印刷制御装置５０は、先ず、印刷層５の形成条件に関する複数の組み合わせを設定する（Ｓ０１１）。このステップＳ０１１では、上述した形成条件の内容、具体的には、印刷層５を構成するインク層の積層数、各インク層を構成するインクの種類、各インク層の厚み、各インク層におけるドット密度、及び内部散乱部材４の種類の各々をパラメータとし、想定され得る各パラメータの組み合わせを特定する。
【０１０３】  なお、本実施形態では、形成条件に関する内容（パラメータ）のうち、透明層８の厚みについては、厚みデータ取得処理にて取得した厚みデータに基づいて特定し、すべての単位領域の間で透明層８の厚みが同一であることとする。
【０１０４】  次に、印刷制御装置５０は、ステップＳ０１１で設定した形成条件に関する複数の組み合わせの各々について、その組み合わせに係る形成条件の下で再現される光散乱特性を推定する（Ｓ０１２）。ここで、光散乱特性をＢＳＳＲＤＦにて表す場合には、光散乱特性としてのＢＳＳＲＤＦ特性を推定するために、ステップＳ０１１で設定した条件の組み合わせと、ドット密度毎に取得したインク種類別の第二光散乱特性データと、内部散乱部材４の種類毎に取得した第三光散乱特性データとを用いて光散乱マトリクス計算を行うことになる。
【０１０５】  光散乱マトリクス計算は、多層構造に入射された光（入射光）の、各層での反射及び透過についてのマトリクス演算である。このマトリクス演算は、入射光が多層構造を抜けるまで、あるいは入射光が多層構造の各層で透過及び反射を繰り返して多層構造の最表面から出射されるまで実施される。なお、層数が多い多層構造については、光量が十分に減衰した時点、あるいは所定数以上の層を光が通過した時点でマトリクス演算が終了する。
【０１０６】  光散乱マトリクス計算について詳しく説明すると、多層構造中のある層（図１３〜図１６に示した層Ｍ）におけるＢＳＳＲＤＦ特性は、下記の４パターンに分類される。  パターン１：図１３に示すように、層Ｍの上方から光Ｉｘが入射されて、層Ｍの上方に向かって光Ｉｙが進行する（すなわち、反射）。  パターン２：図１４に示すように、層Ｍの上方から光Ｉｘが入射されて、層Ｍの下方に向かって光Ｉｙが進行する（すなわち、透過）。  パターン３：図１５に示すように、層Ｍの下方から光Ｉｘが入射されて、層Ｍの上方に向かって光Ｉｙが進行する（すなわち、透過）。  パターン４：図１６に示すように、層Ｍの下方から光Ｉｘが入射されて、層Ｍの下方に向かって光Ｉｙが進行する（すなわち、反射）。
【０１０７】  上記４つのパターンの各々には、対応する演算マトリクスＲが設定されている。演算マトリクスＲは、図１７に示す演算式（例えば、行列式）であり、入射側の光散乱ベクトルに対して、該当するパターンの演算マトリクスＲを乗じることで、層Ｍで光散乱を受けた後の光散乱ベクトル（すなわち、出射側の光散乱ベクトル）を演算することができる。
【０１０８】  なお、図１７中の各変数の定義は、以下の通りである。  Ｉ：光散乱ベクトル，ｆ：演算関数  θｉ（ｉは１〜ｎの自然数）：ｉ番目の入射角度（ベクトル）  Φｉ（ｉは１〜ｎの自然数）：ｉ番目の出射角度（ベクトル）  ｘｋ（ｋは１〜ｎの自然数）：ｋ番目の入射位置  ｙｋ（ｋは１〜ｎの自然数）：ｋ番目の出射位置  を示しており、ｘｋ（ｋは１〜ｎの自然数）がｋ番目の入射位置を示しており、ｙｋがｋ番目の出射位置を示している。  なお、仮に吸収がないと仮定した場合、演算マトリクスＲにおいて同列に並ぶ全要素をすべて足すと、エネルギー保存則により１となる。
【０１０９】  ここで、上記４パターンの各々と対応する演算マトリクスＲを、それぞれＲＡｍ、ＲＢｍ、ＲＣｍ、ＲＤｍと表記すると、入射側の光散乱ベクトルＩｉと反射側の光散乱ベクトルＩｒとの関係は、下記の関係式Ｆ１にて表される。ちなみに、各演算マトリクスに付された添え字ｍは、層の順番を表しており、最も上方（視認側）に位置する層には「１」が付与され、その直下に位置する層には「２」が付与され、それよりも下方の層には、「３」以降の連番が付与される。    関係式Ｆ１：  Ｉｒ＝  ＲＡ１＊Ｉｉ                        ＋ＲＣ１＊ＲＡ２＊ＲＢ１＊Ｉｉ                        ＋ＲＣ１＊ＲＡ２＊ＲＤ１＊ＲＡ２＊ＲＢ１＊Ｉｉ                        ＋・・・・・・・
【０１１０】  以上までに説明してきた光散乱マトリクス計算において、ステップＳ０１１で設定した条件の組み合わせと、ドット密度毎に取得したインク種類別の第二光散乱特性データと、内部散乱部材４の種類毎に取得した第三光散乱特性データと、を適用する。この結果、各単位領域の光散乱特性（具体的には、ＢＳＳＲＤＦ特性）が演算される。ここで、演算結果としてのＢＳＳＲＤＦ特性は、各形成条件の下で形成される印刷層５と、当該印刷層５が形成される基材２の内部散乱部材４と、を含む印刷物１全体の光散乱特性である。換言すれば、光散乱マトリクス計算から求められるＢＳＳＲＤＦ特性は、最終生成物である印刷物１の各部分に関する光散乱特性の推定結果である。
【０１１１】  以上までに光散乱特性としてＢＳＳＲＤＦ特性を演算して推定することを説明してきたが、これに限定されるものではない。例えば、光散乱特性をＭＴＦにて表す場合には、光散乱特性としてのＭＴＦ特性を推定することになる。ＭＴＦ特性を推定するためには、ステップＳ０１１で設定した条件の組み合わせと、ドット密度毎に取得したインク種類別の第二光散乱特性データと、内部散乱部材４の種類毎に取得した第三光散乱特性データとを用いて光散乱解析計算を行うことになる。
【０１１２】  光散乱解析計算は、積層構造に入射された光（入射光）について、当該積層構造に関する反射のＭＴＦ特性を、各層に関する反射及び透過の各々のＭＴＦ特性から求める計算である。例えば、下地層をｐ層とし、ｐ層よりも上方にある層数をｎ（ｎは自然数）とした場合、ｎ個の層とｐ層からなる積層構造に関する反射のＭＴＦ特性は、下記の式（１）にて記述される。【数１】
2020189021.tif 000003
式（１）
【０１１３】  式（１）において、Ｒｉは、ｉ層の反射のＭＴＦ特性であり、Ｔｉは、ｉ層の透過のＭＴＦ特性である。
【０１１４】  ここで、ｎ番目の層とｐ層からなる２層の積層構造を考えると、上記の式（１）は、下記式（１−１）となる。【数２】
2020189021.tif 000004
式（１−１）  上式から分かるように、ｎ番目の層とｐ層のＭＴＦ特性が得られれば、２層の積層構造に関する反射のＭＴＦ特性を記述することができる。
【０１１５】  また、ｎ番目の層とｎ−１番目の層とｐ層からなる３層の積層構造を考えると、上記の式（１）は、下記式（１−２）となる。【数３】
2020189021.tif 000005
式（１−２）  上式から分かるように、ｎ−１番目の層、ｎ番目の層及びｐ層のそれぞれについてＭＴＦ特性が得られれば、３層の積層構造に関する反射のＭＴＦ特性を記述することができる。
【０１１６】  以上の点を踏まえると、ｎ個の層とｐ層とを有する積層構造に関する反射のＭＴＦ特性（すなわち、式（１）にて記述されるＭＴＦ特性）は、結局のところ、１〜ｎ番目の層及びｐ層の各々のＭＴＦ特性が得られれば記述し得ることになる。
【０１１７】  以上までに説明してきた光散乱解析計算において、ステップＳ０１１で単位領域毎に特定した条件内容と、ドット密度毎に取得したインク種類別の第二光散乱特性データと、内部散乱部材４の種類毎に取得した第三光散乱特性データと、を適用する。この結果、各単位領域の光散乱特性（具体的には、ＭＴＦ特性）が計算される。ここで、計算結果としてのＭＴＦ特性は、光散乱マトリクス計算と同様、最終生成物である印刷物１の各部分に関する光散乱特性の推定結果である。  なお、上述した光散乱解析計算の具体例としては、例えば、『Kubelka P (1954) New contributions to the optics of intensely light-scattering materials. Part II: Nonhomogeneous layers. J Opt Soc Am 44(4):330-335.』に記載の計算が挙げられる。
【０１１８】  そして、光散乱特性推定処理では、複数設定された形成条件に関する組み合わせのすべてについて、上記一連の工程、すなわち図１２のステップＳ０１１及びステップＳ０１２が繰り返される（Ｓ０１３）。これにより、各組み合わせに係る形成条件の下で印刷層５を形成した場合に生成される印刷物１の光散乱特性が、組み合わせを変えて推定されるようになる。そして、形成条件に関する組み合わせと、その組み合わせに係る条件の下で再現される光散乱特性の推定結果との対応関係がルックアップテーブル（ＬＵＴ）としてデータ化され、後に実施される形成条件設定処理にて参照される。
【０１１９】  （形成条件設定処理）  形成条件設定処理は、上述の光散乱特性推定処理で設定された形成条件に関する複数の組み合わせの中から、対象物の表面の質感を再現する上で最適な組み合わせを一つ選定し、選定された組み合わせに係る形成条件を、印刷層５の形成時に実際に採用される形成条件として設定する処理である。また、本実施形態では、形成条件設定処理において、印刷層５の形成時に採用される形成条件を単位領域毎に設定することになっている。
【０１２０】  形成条件設定処理について詳しく説明すると、形成条件設定処理では、取得済みの第一光散乱特性データ及び厚みデータとを用いる。また、形成条件設定処理では、上述の光散乱特性推定処理にて特定された形成条件に関する組み合わせと、それぞれの組み合わせに係る形成条件の下で再現される光散乱特性の推定結果との対応関係（より厳密には、対応関係を示すルックアップテーブル）を参照する。
【０１２１】  形成条件設定処理は、図１８に示す流れに沿って実施される。具体的に説明すると、先ず、対象物の表面における一つの単位表面領域について、第一光散乱特性データが示す光散乱特性を特定する（Ｓ０２１）。次に、ステップＳ０２１で特定した光散乱特性と、上記のルックアップテーブルに示される光散乱特性の散乱結果とを比較する（Ｓ０２２）。
【０１２２】  その後、ルックアップテーブル中、ステップＳ０２１で特定した光散乱特性と最も近い光散乱特性の推定結果（すなわち、ステップＳ０２１で特定した光散乱特性との誤差が最小化となる光散乱特性の推定結果）を特定し、特定した光散乱特性の推定結果を再現し得る条件の組み合わせを上記のルックアップテーブルから判定する（Ｓ０２３）。この結果、一つの単位表面領域と対応する単位領域について、当該単位表面領域の質感を再現するのに最適な条件の組み合わせが選定される。具体的には、層構成、透明層８を除く各インク層の厚み、各インク層におけるドット密度、及び使用する基材２が有する内部散乱部材４の種類が選定される。
【０１２３】  上述したステップＳ０２１〜Ｓ０２３は、対象物の表面における複数の単位表面領域のすべてについて実施されるまで繰り返される（Ｓ０２４）。また、厚みデータが示す各単位表面領域の厚みに基づき、各単位領域における透明層８の厚みを決める（Ｓ０２５）。この際、各単位領域における透明層８の厚みについては、すべての単位領域の間で同一の厚みが設定される。透明層８の厚みが決まると、当該厚みを達成するのに必要なクリアインクの吐出回数（打滴回数）が割り出される。
【０１２４】  以上までの一連のステップＳ０２１〜Ｓ０２５が完了すると、対象物の質感を再現する上で好適な条件の組み合わせが単位領域毎に選定され、選定された組み合わせに係る形成条件が、印刷層５の形成時に採用される形成条件として単位領域毎に設定される。
【０１２５】  （印刷データ送信処理）  印刷データ送信処理は、印刷制御装置５０が、形成条件設定処理にて単位領域毎に設定した形成条件を示す印刷データを作成し、当該印刷データを印刷層形成装置２０に向けて送信する処理である。
【０１２６】  （印刷層形成処理）  印刷層形成処理は、印刷層形成装置２０が印刷データに応じて質感再現用の基材２に多層構造の印刷層５を形成（印刷）する処理である。ここで、印刷データは、印刷制御装置５０が対象物の質感に関するデータ（具体的には、厚みデータ及び光散乱特性データ）に基づいて作成したものである。かかる点から考えると、印刷層形成処理は、対象物の質感に関するデータに基づいて多層構造の印刷層５を質感再現用の基材２に形成する処理であると言える。
【０１２７】  また、本実施形態において、印刷層形成処理では、透明層８と白色層７と黒色層９とを有する印刷層５を形成する。  印刷層形成処理について詳細に説明すると、本処理では、先ず、質感再現用の基材２（すなわち、厚みが均一である白色媒体３と、その上に重ねられた内部散乱部材４とを有する基材２）を用意し、印刷層形成装置２０にセットする。より詳しく説明すると、印刷制御装置５０から送られてきた印刷データが示す種類の内部散乱部材４を有する基材２をセットする。また、本実施形態では、内部散乱部材４の各部分の厚みが均一である。したがって、本実施形態において、印刷層形成処理では、厚みが均一である内部散乱部材４の表面上に印刷層５を形成することになる。
【０１２８】  基材２のセットが完了した後には、印刷層形成装置２０の制御機構２４が、印刷データに従って移動機構２１、吐出機構２２及び硬化機構２３を制御する。具体的に説明すると、制御機構２４は、セットされた基材２を移動機構２１に搬送させる。
【０１２９】  また、制御機構２４は、印刷データが示す形成条件に従って印刷層５が基材２に形成されるように印刷層形成装置２０の各部を制御する。この際、印刷層５の各部分を、当該各部分と対応する単位領域に対して設定された形成条件に従って形成するように、制御機構２４が印刷層形成装置２０の各部を制御する。これにより、印刷層５の各部分が当該各部分の位置に応じて像様（イメージワイズ）に形成されるようになる。
【０１３０】  より具体的に説明すると、本実施形態では、印刷層５の全域に亘って、厚みが均一である透明層８を形成する。本実施形態では、透明層８の直下に位置するインク層（例えば、白色層７及び黒色層９）が硬化する前にクリアインクを当該インク層の上に着弾させ、着弾したクリアインクのドットに紫外線を照射してドットを硬化させることで透明層８を形成する。ただし、これに限定されるものではなく、基材２の上に白色層７及び黒色層９を形成した後に、その直上位置に均一な厚みを有するアクリル板又は塩ビ板（以下、アクリル板等）を配置することで透明層８を形成してもよい。この場合、アクリル板等の直下位置にクリアインクの層を一層形成しておき、その層の上にアクリル板等を重ねた後でクリアインクに光を照射して当該クリアインクの層を硬化させるとよい。あるいは、アクリル板等の下面にクリアインク又はプライマー等を塗布しておき、その直下に位置するインク層（白色層７及び黒色層９）の上に重ねた後に硬化させてアクリル板等をインク層に密着させてもよい。
【０１３１】  また、対象物の表面において透明部分に該当する単位表面領域と対応する単位領域には、透明層８と質感再現用の基材２との間で透明層８と隣接する白色層７が配置される。つまり、上記の単位領域では、透明層８を形成する前にホワイトインクによって白色層７が形成され、その直後に、白色層７に重ねて透明層８が形成される。
【０１３２】  他方、対象物の表面において有色部分に該当する単位表面領域と対応する単位領域には、印刷層５の最表層をなすカラー層６が形成され、且つ、カラー層６と透明層８との間でカラー層６と隣接する白色層７が配置される。つまり、上記の単位領域では、透明層８を形成した後にホワイトインクによって白色層７が形成され、その直後に、白色層７に重ねてカラー層６が形成される。
【０１３３】  また、各単位領域において、白色層７は、当該各単位領域に対して設定された形成条件（具体的には、単位領域毎に設定されたドット密度及び厚み等）に従って形成される。この結果、印刷層５の各部分には、当該各部分の位置に応じて白色層７が像様（イメージワイズ）に配置されることになる。
【０１３４】  また、印刷層５において白色層７が存在する領域（つまり、白色層７が形成される単位領域）には、白色層７と質感再現用の基材２との間で白色層７と隣接する黒色層９が配置される。つまり、白色層７が形成される単位領域では、ブラック（Ｋ）インクによって黒色層９が形成され、その直後に黒色層９に重ねて白色層７が形成される。
【０１３５】  なお、白色層７が形成される単位領域であり、且つ、有色部分に該当する単位表面領域と対応する単位領域においては、透明層８と質感再現用の基材２との間で透明層８と隣接する黒色層９がさらに配置される。つまり、上記の単位領域では、ブラック（Ｋ）インクによって黒色層９が形成された直後に透明層８が形成され、透明層８の直上で黒色層９が再び形成される。
【０１３６】  以上の要領にて印刷層形成処理が実施され、本処理の終了時点で最終生成物である印刷物１が生成される。生成された印刷物１の表面（視認側の表面）は、対象物の表面の質感を良好に再現したものとなっている。
【０１３７】  ＜本実施形態の有効性について＞  以上までに説明してきたように、本実施形態では、質感再現印刷を高速且つ適切に行うことが可能である。また、本実施形態では、印刷層５において白色層７周辺への光の異常伝播が抑えられた印刷物１を提供することが可能である。これらの点において、本実施形態は、従来技術として例示した特許文献１に記載された技術よりも有効である。
【０１３８】  より具体的に説明すると、「発明が解決しようとする課題」の項で説明したように、特許文献１に記載の技術では、印刷物において透明層の厚みを一定とし、さらに、透明層の下方（より厳密には直下位置）に白色層を配置する。白色層は、印刷物中、光散乱が抑制される箇所（つまり、光の内部散乱が少ない部位）に設けられる。これにより、透明層の厚みを場所に応じて変えることなく、白色層を設けるだけで光学的質感を調整することができるので、質感再現印刷がより高速に行われるようになる。
【０１３９】  しかしながら、印刷物に対して入射した光が白色層を通じて異常に伝播する虞があり、特に、特許文献１に記載の技術のように透明層の近傍に白色層を設けると、光の異常伝播が顕著となる。
【０１４０】  これに対して、本実施形態では、印刷層５において白色層７の下方に黒色層９が配置される。これにより、白色層７にて反射された光が当該白色層７の周囲に向かって広がる（拡散する）際に、その光を黒色層９が吸収する。この結果、白色層７周辺への光の異常伝播が抑制されるようになる。
【０１４１】  以上のように、本実施形態では、白色層７を形成することの利点を生かしつつ、白色層７周辺への光の異常伝播を抑制することができるため、質感再現印刷が高速且つ適切に行われるようになる。
【０１４２】  なお、上記の効果は、印刷層５において白色層７の下方に黒色層９が配置されることで奏され、その限りにおいては、白色層７と黒色層９の間に別の層（例えば、透明層８）が配置されてもよい。ただし、白色層７の直下位置にて黒色層９が白色層７と隣接する場合には、上記の効果がより際立って発揮されることになる。
【０１４３】  ＜その他の実施形態＞  以上までに本発明の印刷方法、印刷物及び印刷システムについて一例を挙げて説明してきたが、上述の実施形態は、あくまでも一例に過ぎず、他の例も考えられる。
【０１４４】  具体的に説明すると、上記の実施形態では、図３に示す多層構造を有する印刷層５、より詳しくはカラー層６、白色層７、透明層８及び黒色層９を有する印刷層５を形成することとしたが、これらの層以外のインク層が新たに追加されてもよい。
【０１４５】  また、上記の実施形態では、印刷層５において白色層７が存在する領域（単位領域）では、黒色層９が白色層７の下方に配置されることとした。ただし、これに限定されるものではなく、白色層７が存在する領域であっても、例えば、白色層７におけるドット密度（濃度）が比較的低い領域、より具体的には白色層７での光の透過率が所定値（例えば１０％）を上回る領域については、黒色層９が配置されなくてもよい。つまり、白色層７が存在する領域のうち、白色層７での光の透過率が所定値以下に抑えられる領域にのみ、黒色層９を配置してもよい。
【０１４６】  また、上記の実施形態では、印刷層５において、白色層７の直下位置に黒色層９が白色層７と隣接するように配置されることとしたが、これに限定されるものではない。前述したように、白色層７と黒色層９との間に別のインク層、例えば透明層８が介在してもよい。また、図１９に示すように、内部散乱部材４の直上位置及び直下位置の少なくとも一方（図１９は、内部散乱部材４の直上位置及び直下位置の双方）に黒色層９が配置されてもよい。例えば、内部散乱部材４の直下に黒色層９を設ける場合には、白色媒体３の上に黒色層９を形成した後、その直上位置に内部散乱部材４を重ねて、内部散乱部材４の下面に塗布されたプライマー等にて白色媒体３と密着させるとよい。
【０１４７】  また、上記の実施形態では、印刷物１を生成するために印刷層５を形成する装置（すなわち、印刷層形成装置２０）が、プリンタ等のデジタル印刷方式の印刷装置であることとしたが、これに限定されるものではない。印刷層形成装置２０は、アナログ印刷方式の印刷装置、例えばオフセット印刷機であってもよい。つまり、本発明は、デジタル印刷技術だけでなく、アナログ印刷技術にも適用可能である。
【符号の説明】
【０１４８】  １  印刷物  １ａ  透明部分と対応する部位  １ｂ  有色部分と対応する部位  ２  基材  ３  白色媒体  ４  内部散乱部材  ５  印刷層  ６  カラー層  ７  白色層  ８  透明層  ９  黒色層  １０  印刷システム  ２０  印刷層形成装置  ２１  移動機構  ２１Ｒ  移動経路  ２２  吐出機構  ２２Ｓ  ノズル面  ２３  硬化機構  ２４  制御機構  ３０  厚みデータ取得装置  ４０  光散乱特性データ取得装置  ５０  印刷制御装置  Ｉｘ，Ｉｙ  光  ＬＰ  矩形波チャート  ＬＰｘ  矩形状パターン  Ｍ  層  Ｎｃ，Ｎｇ，Ｎｈ，Ｎｋ，Ｎｍ，Ｎｗ，Ｎｙ  ノズル列  Ｒ  演算マトリクス  ＳＰ１，ＳＰ２，ＳＰ３，ＳＰ４，ＳＰ５  サンプルパターン  Ｔ  花崗岩  Ｔｃ  石英
【図１】
2020189021.tif 000006
【図２】
2020189021.tif 000007
【図３】
2020189021.tif 000008
【図４】
2020189021.tif 000009
【図５】
2020189021.tif 000010
【図６】
2020189021.tif 000011
【図７】
2020189021.tif 000012
【図８】
2020189021.tif 000013
【図９】
2020189021.tif 000014
【図１０】
2020189021.tif 000015
【図１１】
2020189021.tif 000016
【図１２】
2020189021.tif 000017
【図１３】
2020189021.tif 000018
【図１４】
2020189021.tif 000019
【図１５】
2020189021.tif 000020
【図１６】
2020189021.tif 000021
【図１７】
2020189021.tif 000022
【図１８】
2020189021.tif 000023
【図１９】
2020189021.tif 000024
【国際調査報告】
2020189021.tif 000025
2020189021.tif 000026
2020189021.tif 000027
2020189021.tif 000028
2020189021.tif 000029